(57)【特許請求の範囲】
【請求項１】
上向きに開口した金属板製の本体と、前記本体を上から塞ぐ金属板製の蓋とを備えており、前記本体は、外周板の上端に水平状の端面板が外角部を介して内側に向けて折り曲げ形成された構成である一方、前記蓋は、外周板の下端に外角部を介して端面板が内側に向けて折り曲げ形成された構成であり、閉蓋状態において前記本体の端面板と蓋の端面板とが面当たりしており、
かつ、前記本体の端面板と蓋の端面板とのうち少なくともいずれか一方の端面板の先端縁に内角部を介して内周板が繋がっており、前記内角部に、当該内角部の曲げ強度を弱くするための抜き穴が飛び飛びの状態で多数形成されている、という構成であって、
前記端面板と内周板とは略直角の姿勢で交叉していると共に、前記内周板の先端には前記外周板に向いて突出した中板が中角部を介して繋がっており、このため、前記外周板と端面板と内周板と中板とで角筒部が構成されており、更に、前記内角部に、前記抜き穴としてスリットの群が飛び飛びに多数形成されている、
金属板製道具箱。
【発明の詳細な説明】
【技術分野】
【０００１】
本願発明は、スチール板のような金属板を材料として製造された道具箱（工具箱）に関するものである。
【背景技術】
【０００２】
道具箱は、プラスチック製のものとスチール製（金属板製）のものとに大別され、このうちスチール製のものは頑丈でしかも変形しにくいという利点がある。この金属板製の道具箱は本体と蓋とを必須の要素としており、一般に、蓋は蝶番で本体に開閉自在に取り付けられている。蓋は、１つの場合と２つが観音開きになっている場合とがある。
【０００３】
大型のスチール製道具箱の一例が特許文献１に記載されている。すなわちこの特許文献１では、本体の上端部は、その周囲を構成する４枚の囲い板（壁板）の上端部を内側に突出させることで角筒部になっており、このため高い強度が確保されている。他方、蓋は本体に被さるようにトレー状になっている。
【０００４】
特許文献２の道具箱は手提げ式のような持ち運び自在なものを対象にしていると推測され、本体の開口縁と蓋の開口縁とに外向きに突出したフランジを曲げ形成して、閉蓋状態で両者のフランジが重なるように設定している。より正確に述べると、特許文献２では、蓋におけるフランジの外周には囲い壁が形成されており、このため、蓋のフランジは本体のフランジに外側から被さっている（図７参照）。
【先行技術文献】
【特許文献】
【０００５】
【特許文献１】実開平０３−７９２８１号のマイクロフィルム
【特許文献２】実開平０５−３９８８０号のＣＤ−ＲＯＭ
【発明の概要】
【発明が解決しようとする課題】
【０００６】
特許文献２のように本体と蓋とのフランジを形成しただけでは、補強機能が高くないため重量物を収納する道具箱の場合は変形し易くなるおそれがあるが、特許文献１のように本体の開口縁に角筒部を形成すると、上記したように高い強度を確保できる利点がある。また、本体の上端を構成する角筒部はある程度の幅の平坦面を有しているため、閉蓋状態で本体と蓋とは面当たりしており、このため、閉蓋状態での蓋の支持安定性も高い。
【０００７】
しかし、本体の角筒部を加工するのに大きな外力を要する問題や、加工精度を高くできないおそれがある問題が懸念される。つまり、曲げ加工するに際して強い押圧力を要するため、材料を強い力でしっかりと押さえておらねばならず、すると、加圧力が大きいプレス機が必要になる問題が生じたり、押さえが不完全になって加工精度が悪くなったりするおそれがある。
【０００８】
本願発明は、このような現状を改善することを課題とするものである。
【課題を解決するための手段】
【０００９】
本願発明の道具箱は、上向きに開口した金属板製の本体と、前記本体を上から塞ぐ金属板製の蓋とを備えており、前記本体は、外周板の上端に水平状の端面板が外角部を介して内側に向けて折り曲げ形成された構成である一方、前記蓋は、外周板の下端に外角部を介して端面板が内側に向けて折り曲げ形成された構成であり、閉蓋状態において前記本体の端面板と蓋の端面板とが面当たりしている、という基本構成になっている。
【００１０】
そして、上記基本構成において、まず、前記本体の端面板と蓋の端面板とのうち少なくともいずれか一方の端面板の先端縁に内角部を介して内周板が繋がっており、前記内角部に、当該内角部の曲げ強度を弱くするための抜き穴が飛び飛びの状態で多数形成されている。
【００１１】
更に、前記端面板と内周板とは略直角の姿勢で交叉していると共に、前記内周板の先端には前記外周板に向いて突出した中板が中角部を介して繋がっており、このため、前記外周板と端面板と内周板と中板とで角筒部が構成されており、更に、前記内角部に、前記抜き穴として、それら内角部及び中角部の長手方向に長く延びるスリットが飛び飛びに形成されている。
【発明の効果】
【００１２】
本願発明によると、本体又は蓋の開口部に端面板と内周板とを曲げ形成したことにより、本体又は蓋は高い強度を確保することができ、また、閉蓋状態で本体と蓋とは端面板が面当たりしているため、閉蓋状態での安定性も高い。
【００１３】
そして、本体又は蓋の開口部に内周板を設けるにおいて、内角部に多数の抜き穴を飛び飛びに設けているため、内角部の曲げ加工に要する力は従来に比べ格段に小さくて良い。このため内周板の曲げ加工を従来よりも軽い力で確実に行えると共に、スプリングバックや残留応力も防止できるため、加工精度も向上できる。また、外周板と端面板とが繋がった外角部に抜き穴を形成するのではなく、端面板と内周板とが繋がった内角部に抜き穴を形成したものであるため、強度が過度に低くなることも防止できる。更に、抜き穴の群が模様のような効果を発揮することで美感にも優れていると言える。
【００１４】
更に、内周板を端面板と直交させて角筒部を構成しているため、断面係数が格段に大きくなるため高い強度を確保できて好適である。また、抜き穴として細長いスリットを形成していることにより、少ない個数で所望の弱化効果を得ることができるため、板材を間欠移動させながら１つのパンチで穴空け加工する場合に作業能率を向上できる利点がある。
【図面の簡単な説明】
【００１５】
【図１】第１実施形態の外観図で、（Ａ）は閉蓋状態の斜視図、（Ｂ）は開蓋状態の斜視図である。
【図２】開蓋状態での破断斜視図である。
【図３】（Ａ）は蓋の展開図、（Ｂ）は本体の展開図である。
【図４】図１（Ａ）の IV-IV視断面図である。
【図５】第２実施形態の斜視図である。
【図６】第３実施形態の分離斜視図である。
【図７】第３実施形態の分離破断斜視図である。
【図８】参考例を示す部分断面図である。
【発明を実施するための形態】
【００１６】
次に、本願発明の実施形態を図面に基づいて説明する。
【００１７】
(1).第１実施形態
まず、第１実施形態を説明する。道具箱は平面視長方形であり、上向きに開口した本体１と、閉蓋状態で蓋２に向けて開口した浅い箱状の蓋２とを有する。蓋２は、１つの長辺部を中心にして回動するようにヒンジ３で本体１の長辺部に連結されている。また、蓋２には上向きに開口した凹所４が形成されており、この凹所４に把手５を回動自在に連結している。把手５の回動軸心は平面視で蓋２の長手中心線と重なっている。
【００１８】
本体１のうちヒンジ３と反対側の外壁面には閉止用のレバー６を設けており、他方、蓋２のうちヒンジ３と反対側の外壁面にはレバー６が引っ掛かるフック７を設けている。本体１及び蓋２の各コーナー部には、三面に重なる金属製の補強カバー（コーナー金具）８がかしめ固定されている。
【００１９】
本体１は１枚のスチール板で製造されており、図２に示すように、平面視長方形の底板１０と、底板１０の外周縁に底角部１１を介して繋がった４枚の外周板１２とを有しており、各外周板１２の上端には水平姿勢で内向きの端面板１３が外角部１４を介して一体に繋がっており、各端面板１３の先端縁には、鉛直姿勢で下向きの内周板１５が内角部１６を介して一体に繋がっており、更に、各内周板１５の下端縁には、外周板１２に向けて延びる水平姿勢の中板１７が中角部１８を介して一体に繋がっている。
【００２０】
また、中板１７の先端には、外周板１２に重なる補助片１９が補助角部２１を介して一体に繋がっており、補助片１９は外周板１２にスポット溶接で固定されている。このように外周板１２の上端に端面板１３と内周板１５と中板１７とが一体に繋がっていることにより、各外周板１２の上端（本体１の開口縁）に角筒部２１が形成されており、このため本体１は頑丈な構造になっている。角筒部２１は上下に長い形状になっている（底板１０まで延長することも可能である。）。なお、補助片１９を設ける場合、下向きに突出させることも可能である。
【００２１】
この場合、本体１の長辺方向に延びる角筒部２１は本体１の長手方向の全長にわたって延びており、短辺方向に延びる角筒部２１は、長辺の角筒部２１の幅寸法だけ短くなっているが、逆の関係にしても良い。また、角筒部２１の端部を平面視で４５度にカットして、隣り合った角筒部２１の端面を突き合わせることも可能である。
【００２２】
隣り合った角筒部２１は互いに溶接で固定されている。また、隣り合った外周板１２も溶接で固定されている。図２に一点鎖線で示すように、隣り合った外周板１２のうちいずれか一方にフラップ２２を曲げ形成して、フラップ２２を他方の外周板１２にスポット溶接してもよい。本実施形態のように各コーナー部に三面から覆う補強カバー８を固定すると、外周板１２や角筒部２１に内側から力が掛かっても隣り合った外周板１２が離反することはないため、高い堅牢性を確保できる。
【００２３】
本体１の内角部１６には、当該内角部１６の長手方向に長いスリット２３が一定ピッチで多数形成されている。各スリット１６の長さＬ１と隣り合ったスリット１６の間の間隔Ｌ２とは任意に設定できるが、内角部１６の曲げ強度を弱くする機能を確保するためには、Ｌ１はＬ２の数倍あるのが好ましい。
【００２４】
蓋２は天板２５を有しており、天板２５の四周には外周板２６が天角部２７を介して一体に繋がっており、外周板２６の下端（先端）には端面板２８が外角部２９を介して一体に繋がっており、端面板２８には内周板３０が内角部３１を介して一体に繋がっており、内周板３０の先端には中板３２が中角部３３を介して一体に繋がっている。また、中板３２の先端には、外周板２９に重なる補助片３４が補助角部３５を介して一体に繋がっており、補助片３４は外周板２９にスポット溶接されている。
【００２５】
従って、蓋２の開口部にも角筒部３６が形成されている。蓋２においても、長辺方向に長く延びる角筒部３６は全長にわたる長さであり、短片方向に延びる角筒部３６は長手方向の角筒部３６に当接するように両端がカットされている。そして、蓋２においても内角部３１に多数のスリット２３を形成している。スリット２３の長さ及びピッチは本体１の場合と同様である。蓋２は浅いので、隣り合った角筒部３６を溶接で固定しなくても、補強カバー８による固定のみでも足りる（もとより、隣り合った角筒部３６を溶接することは可能である。）。
【００２６】
蓋２を構成する天板２５には凹所４に対応した穴３８が空いており、この穴３８の箇所に凹所４を有するケース３９が溶接で固着されている。ケース３９には予め把手５が取り付けられており、把手５付きのケース３９を天板２５の内面に溶接している。
【００２７】
本体１と蓋２はそれぞれ平面視矩形のスチール板を素材として製造される。すなわち、図３に示すようにスチール板を展開状態に打ち抜き、次いで、順次曲げ加工を施し、それから溶接や補強カバー８のかしめ付けが行われる。曲げ加工は、本体１を例に取ると、補助角部２０→中角部１８→内角部１６→外角部１４→底角部１１の順番で行われる。各外周板１２について補助角部２０，中角部１８，内角部１６，外角部１４を曲げ加工してから、先に短片部の底角部１１を曲げ加工し、次いで、長辺部の底角部１１を曲げ加工する。それから溶接や保護カバー８のかしめ付けを行う。
【００２８】
そして、内角部１６には多数のスリット２３が形成されているため、内角部１６を軽い力で曲げ加工することができ、しかも、内角部１６はシャープな折り目線を有する状態に形成される。また、内角部１６にスリット２３の群が存在することにより、当該内角部１６の箇所のスプリングバックを無くすことができるため、角筒部２１を正確な寸法に仕上げることができる。蓋２も同様である。中角部１８，３３や補助角部２０，３５にスリット２３を形成することも可能である。
【００２９】
(2).他の実施形態・その他
本願発明は複数の蓋を備えた道具箱にも適用できる。その一例の外観を第２実施形態として図５で示している。本体１は平面視長方形であり、２つの蓋２は本体１の長辺部にヒンジ３で連結されている。本実施形態では、把手５は本体１に取り付けている。図では省略しているが、本体１及び蓋２の内角部１６，３１にはスリットを形成している。
【００３０】
図６，７に第３実施形態として示すように、本願発明はトレー４０，４１を有する道具箱にも適用できる。この実施形態では上段トレー４０と下段トレー４１との２段のトレーを有しており、両トレー４０，４１の上端縁には外向きに張り出した角筒状のフランジ４２が一体に形成されている。
【００３１】
他方、本体１における内周板１５には、上段トレー４０のフランジ４２が載る上段部４３と、下段トレー４１のフランジ４２が載る下段部４４とを曲げ形成している。上下の段部４３，４４はそれぞれ内周板１５に角部４３ａ，４３ｂ，４４ａ，４４ｂを曲げ形成することで構成されているが、本実施形態では、これらの角部４３ａ，４３ｂ，４４ａ，４４ｂにもスリット２３を形成しているが、スリットのない状態で曲げることも可能である。なお、トレーは１段のみでもよいし、３段以上あってもよい。
【００３２】
図８では参考例を示している。このうち（Ａ）に示す参考例では、内周板１５を折り返して端面板１３の下面に密着させている。また、（Ｂ）に示す参考例では、内周板１５を傾斜姿勢にしてその先端を外周板１２に当接させている。更に（Ｃ）に示す参考例では、中板１７を傾斜姿勢にしてその先端を外周板１２に当接させている。
【００３３】
本願発明は上記の実施形態の他にも様々に具体化できる。例えば、大きさや縦横の寸法、深さ（高さ）などは任意に設定できる。蓋と本体との深さを同じ程度にしたり、逆に、蓋をトレー状（箱状）とせずに中空の板状とするといったことも可能である。蓋の内角部のみにスリットを形成することも可能である。
【符号の説明】
【００３４】
１  本体
２  蓋
３  ヒンジ
１０  本体の底板
１２，２６  外周板
１３，２８  端面板
１４，２９  外角部
１５，３０  内周板
１６，３１  内角部
１７，３２  中板
１８，３３  中角部
１９，３４  補助片
２１，３６  角筒部
【図１】
0005559601.tif 000002
【図２】
0005559601.tif 000003
【図３】
0005559601.tif 000004
【図４】
0005559601.tif 000005
【図５】
0005559601.tif 000006
【図６】
0005559601.tif 000007
【図７】
0005559601.tif 000008
【図８】
0005559601.tif 000009